(57)【特許請求の範囲】
【請求項１】
ステンレス鋼又は燐青銅からなる線材の一端にスチール片を固定し、比重が１２以上２０以下の高比重物質とマグネット片とを接着してなる錘を構成しつつ、該錘のマグネット片の面が上記スチール片の面に対向するように該錘を上記線材に遊嵌し、上記線材の他端にクッション部材を固定してなり、上記錘が上記スチール片およびクッション部材の間を上記線材に沿って移動自在にしてなることを特徴とするルアーの重心移動部材。
【請求項２】
前記高比重物質は、タングステンと鉄とを混合してなるタングステン合金である請求項１に記載のルアーの重心移動部材。
【発明の詳細な説明】
【０００１】
【発明の属する技術分野】
本発明は、小魚の形状に似せて成形された擬餌に釣り針を備えてなるルアーに関するものである。
【０００２】
【従来の技術】
従来より、ルアーの中でプラグと呼ばれているものは、図６に示すようにルアー本体１内部に鉛、真鍮、タングステン等の球形の錘２を内部空間６内に移動可能な状態で内蔵しており、この錘２がルアー本体内部の凹部３に嵌入することによって水中における引っ張り動作時のバランスをとると同時に、遠投時には凹部３から離脱してルアー尾部に移動し、遠投性を高めているものである。
【０００３】
又、図７に示すルアーは、水中でのルアー移動時にバランスをとっている錘２ａが移動しないように、ルアー本体１の内部空間６の頭部側にマグネット片４を固定し、このマグネット片４に磁性体からなる球形の錘２ａを着脱可能な状態で且つ内部空間６内を移動可能な構成としたものであり、図８に示すルアーは球形の錘２ｂをマグネットで作成してルアー本体１の内部空間６底部の頭部側にスチール片５を固定し、これに上記錘２ｂが着脱可能で且つ内部空間６内を移動可能な構成としたものである。
【０００４】
更に、図９に示すルアーは、円柱形（又は球形）の錘２ｃの軸線（又は中心）に貫通孔２ｄを穿設し、この貫通孔２ｄにステンレス製の鋼線からなる線材７を挿通し、この線材７の両端をルアー本体１の内部空間６の長手方向に固定して遠投時には錘２ｃがルアー本体１の尾部側に移動して飛距離を伸ばし、水中でのルアー移動時には錘２ｃをルアー本体１の中心部に移動させて泳ぎのバランスを安定させるものである。
【０００５】
【発明が解決しようとする課題】
しかしながら、図６に示すルアーは、遠投した直後のリールを巻き取る際の状態においては、凹部３に球形の錘２を嵌入させることは難しく、ルアーの動きにばらつきが生じるものであった。又、図７に示すルアーは、錘２ａが球形をしているので、ある程度の比重を確保するには体積が大きくならざるを得ず、錘２ａをルアー本体の尾部まで移動させるのは困難であった。同様の理由から、図８に示すルアーも磁性体からなる球形の錘２ｂをルアー本体の尾部まで移動させるのは困難であった。又、図６〜図８に示すルアーの錘２，２ａ，２ｂは球形であり、内部空間６を回転して移動するものであるので、内部空間を仕切る隔壁６ａに衝突して雑音が発生し易い構成となっていた。更に、図９に示すルアーは、円柱状の錘をルアー本体の尾部まで移動させることができるものではあるが、錘をルアー本体の略中央位置に固定する手段を有していないので、水中でのルアーの動きを安定させるのは難しいものであった。
【０００６】
本発明は、上記点に鑑み、ルアー本体に内蔵する錘の移動によって発生する雑音を減少させ、さらに水中での動きを安定させることもできるルアーを提供することを目的とする。
【０００８】
本発明は、ステンレス鋼又は燐青銅からなる線材の一端にスチール片を固定し、比重が１２以上２０以下の高比重物質とマグネット片とを接着してなる錘を構成しつつ、該錘のマグネット片の面が上記スチール片の面に対向するように該錘を上記線材に遊嵌し、上記線材の他端にクッション部材を固定してなり、上記錘が上記スチール片およびクッション部材の間を上記線材に沿って移動自在にしてなることを特徴とするルアーの重心移動部材を要旨としている。
【０００９】
さらに、前記高比重物質は、タングステンと鉄とを混合してなるタングステン合金であるルアーの重心移動部材を要旨とする。
【００１４】
【発明の実施の形態】
以下、本発明の実施の形態を図面に基づいて説明する。図１は本発明の第１の実施形態を示す図である。図１に示すように、直線状の線材７は長手方向の寸法がルアーの腹部から尾部までの長さに対応しており、直径が０．６ｍｍ〜２ｍｍのステンレス鋼線又は燐青銅の針金等を使用する。そして、この線材７の一方の端部には円筒状のマグネット片８が固定されている。尚、線材７とマグネット片８との固定は、マグネット片８の円筒内側面に雌ネジを形成し、線材７の一方の端部に雄ネジを形成して螺合させる方法、マグネット片８の円筒内部に線材７を挿入した後、溶接または接着剤で固着させる方法等が用いられる。次に、線材７の他方の端部から中空円筒状の錘２ｅを挿入する。この錘２ｅは、常温で強磁性を示さない物質（一例としてタングステン）と常温で強磁性を示す物質（一例として鉄）とを混合してなる合金であり、比重が１２以上２０以下、最適値としては１４以上１８．５以下の範囲の比重となるようにして円筒状に成形されたものである。そして、錘２ｅは貫通孔２ｆの直径が線材７の直径よりも若干大きくなるように穿設されていて線材７の前後方向に移動自在に遊嵌保持されている。次に、線材７の他方の端部近傍にクッション部材９を固定する。このクッション部材９には例えば、発泡ウレタン、シリコンゴム、コルク等が用いられる。以上のようにして重心移動部材は作製されるのである。
【００１５】
図２はルアー内部に図１に示した重心移動部材を組み込んだ状態を示す説明図である。図２に示すようにルアー本体１の内部は隔壁１１により上述の重心移動部材１０が組み込まれる空間が形成されている。そして、この空間に上述の重心移動部材１０が組み込まれるのである。重心移動部材１０の固定は、マグネット片８の一部がルアー本体１の内部壁１ａ又は隔壁１１に接着剤等で固着されることによりなされる。そして、クッション部材９側はこのクッション部材９の側面がルアー本体１に固着され、又は線材７の端部がルアー本体１に固着される。従って、遠投時には錘２ｅの後端がクッション部材９に接触する状態まで線材７に沿って移動して飛距離を延ばすことができ、逆に水中ではマグネット片８の磁力によって、錘２ｅの前端がマグネット片８に吸着されて水中でのルアーの動きを安定させることができるのである。
【００１６】
図３は本発明の第２の実施形態を示す図である。図３に示すように移動部材１０ａの直線状の線材は図１で示したものと同じものを使用する。そして、この線材７の一方の端部には円筒状のスチール片８ａが固定されている。尚、線材７とスチール片８ａとの固定は図１で示した線材７とマグネット片との固定と同様であるので説明は省略する。次に、線材７の他方の端部から中空円筒状の錘２ｇを挿入する。この錘２ｇは、比重が１２以上２０以下、最適値としては１４以上１８．５以下の範囲となるようにして円筒状に成形された高比重物質（一例としてタングステン合金）２ｉの先端に円筒状に成形されたマグネット片２ｈが貼り付けられているものである。そして、錘２ｇは貫通孔２ｆの直径が線材７の直径よりも若干大きくなるように穿設されていて、線材７の一端に固定されたスチール片８ａの面と、マグネット片２ｈの面とが対向するようにして前後方向に移動自在に遊嵌保持されている。次に、線材７の他方の端部近傍に第１の実施形態と同様のクッション部材９を固定する。以上のようにして重心移動部材１０ａは作製されるのである。
【００１７】
図４はルアー内部に図３に示した重心移動部材を組み込んだ状態を示す図である。組み込み方は上述の第１の実施形態と同様なので、説明は省略する。図４に示す構成によって、遠投時には錘２ｇのタングステン合金２ｉの部分の後端がクッション部材９に接触する状態まで線材７に沿って移動して飛距離を延ばすことができ、逆に水中ではマグネット片２ｈの磁力によって、このマグネット片２ｈがスチール片８ａに吸着して水中でのルアーの動きを安定させることができるのである。
【００１８】
図５（ａ）は本発明の重心移動部材を組み込んだ他のルアーを示す図である。ルアー本体１ｂが上述のルアー本体よりも小さめのものについては図５（ａ）に示すように線材７ａを直線状ではなく緩やかな曲線状とし、この線材７ａの先端にマグネット片８を固着し、錘２ｊには球形の鉄分を含有するタングステン合金を使用する構成としている。この場合、錘２ｊに穿設される貫通孔２ｋは上述の直線状の線材７を使用した場合の貫通孔２ｆよりもやや大きくなるようにし、錘２ｊが線材７ａの後端近傍に固定されたクッション部材９から先端に固定されたマグネット片８までの間をスムースに移動できるように遊嵌保持されている。
【００１９】
尚、本発明の趣旨を逸脱しない範囲において、種々なる実施の態様をとることができることは無論である。例えば、図５（ｂ）に示すように、線材７ａを曲線状とし、先端にスチール片８ａを固着したものと、円筒状に成形されたタングステン合金２ｉの先端に円筒状に成形されたマグネット片２ｈが貼り付けられている錘２ｇとを組み合わせた構成とすることもできるものであり、上述した線材７又は７ａと、錘２ｅ、２ｇ又は２ｊと、マグネット片８又はスチール片８ａとを各々選択的に組み合わせることにより形成される重心移動部材を組み込んだルアーも本発明に含まれるものである。又、上述の図面に描かれたルアーにおいて釣り針は省略している。
【００２４】
本発明によれば、これを組み込んだルアーにあっては、ルアーの本体における錘の移動によって雑音が発生するのを防ぎ、水中ではスチール片に錘が固定されるので、水中でのルアーの動きを安定させることができる。又、錘の体積を小さくすることにより、この錘をルアー本体内部の尾部近傍まで移動させることができるので、遠投時に飛距離を延ばすことができる。さらに、高比重物質はタングステン又はタングステン合金で構成された錘であるので、錘を容易に高比重とすることができる。
【図面の簡単な説明】
【図１】本発明に係るルアーの第１の実施形態に使用する重心移動部材を示す説明図である。
【図２】本発明に係るルアーの第１の実施形態を示す断面図である。
【図３】本発明に係るルアーの第２の実施形態に使用する重心移動部材を示す説明図である。
【図４】本発明に係るルアーの第２の実施形態を示す断面図である。
【図５】本発明に係るルアーの他の実施形態を示す断面図である。
【図６】従来のルアーを示す断面図である。
【図７】従来のルアーを示す断面図である。
【図８】従来のルアーを示す断面図である。
【図９】従来のルアーを示す断面図である。
【符号の説明】
１  ルアー本体
１ａ  内部壁
２，２ｅ，２ｇ，２ｊ  錘
２ｈ，４，８  マグネット片
２ｉ  タングステン合金
３  凹部
５，８ａ  スチール片
６  内部空間
６ａ，１１  隔壁
７，７ａ  線材
９  クッション部材
１０  重心移動部材
【図１】
0003629402.tif 000002
【図２】
0003629402.tif 000003
【図３】
0003629402.tif 000004
【図４】
0003629402.tif 000005
【図５】
0003629402.tif 000006
【図６】
0003629402.tif 000007
【図７】
0003629402.tif 000008
【図８】
0003629402.tif 000009
【図９】
0003629402.tif 000010